(57)【要約】【課題】筆記体に装着した摺動体のカム係止突起と軸筒内に配した回転カムのカム面とを有する繰出機構を具えた回転繰出式筆記具において、全ての筆記体の筆記先端部が前軸の先端開口部に没入している待機時において、筆記先端部の先端開口部からの没入距離をより長い距離の位置で待機でき、筆記体の筆記先端部を前軸の先端開口部より出没させる際の前軸に対する後軸の回転操作も軽やかにスムーズに行えるようにするものである。【解決手段】筆記体１４を収容する摺動ケース１２の筆記体収容溝１０の幅を、全ての筆記体１４の筆記先端部２０が前軸３の先端開口部２１より没入した待機時の位置である、カム係止突起１７が回転カム９のカム面８の傾斜面６の中間あたりに位置する時の、摺動体１６の筆記体収容溝１０における軸心方向の位置より僅か後方の位置：イから前方端までの範囲：Ｄの幅が、他の部分より広くなるように形成する。【選択図】図３
2010064405.tif 000002
【特許請求の範囲】
【請求項１】
軸筒を互いに回転可能に連設した前軸と後軸とで構成し、筆記体を収容する１つまたは複数の筆記体収容溝を有した摺動ケースを、後軸に連動して回転や前後に移動することのないように前軸に連接して配設し、筆記体収容溝に、カム係止突起を有した摺動体を装着した筆記体を、ばねにより前軸の先端開口部と反対側の後方に付勢し、カム係止突起を筆記体収容溝から外方へ突出させて収容し、後軸内に該後軸と一体にまたは別部材で形成し後軸に連動して回転可能に設けた回転カムの傾斜面と平坦面を有するカム面に、摺動体のカム係止突起を当接し、後軸を前軸に対して回転することにより後軸に連動して回転カムが摺動ケースに対して回転し、カム係止突起がカム面に沿って移動することで摺動体および筆記体が前後動し、筆記先端部を前軸の先端開口部より出没してなる回転繰出式筆記具において、
前記摺動体と摺動ケースの筆記体収容溝の軸心方向の縁辺とで形成される隙間を、全ての筆記体の筆記先端部が前軸の先端開口部より没入した待機時で、カム係止突起が前記カム面の傾斜面上に位置した摺動体の筆記体収容溝における軸心方向の位置より僅かに後方の位置：イから筆記体収容溝の前軸の先端開口部側の前方向の部分が、筆記先端部が前軸の先端開口部から没入した距離が最長時である、カム係止突起が前記カム面の平坦面に位置した摺動体の筆記体収容溝における軸心方向の位置より僅かに前軸の先端開口部側の前方の位置でかつ前記後方の位置：イより後方の位置：ロから筆記体収容溝の後方向の部分より、隙間を大きくして摺動体の周方向の横振れを可能としたことを特徴とする、回転繰出式筆記具。
【発明の詳細な説明】
【技術分野】
【０００１】
本発明は、後軸を前軸に対して回転することにより後軸内に配した回転カムが回転し、軸筒内に収納した筆記体の後端に設けたカム係止突起が回転カムのカム面に沿って移動することで、摺動体および筆記体が前後動し、筆記先端部を前軸の先端開口部より出没可能とした回転繰出式筆記具に関するものである。
【背景技術】
【０００２】
従来、軸筒を互いに回転可能に連設した前軸と後軸とで構成し、筆記体を収容する１つまたは複数の筆記体収容溝を有した摺動ケースを、後軸に連動して回転や前後に移動することのないように前軸に連接して配設し、筆記体収容溝に、カム係止突起を有した摺動体を装着した筆記体を、ばねにより前軸の先端開口部と反対側の後方に付勢し、カム係止突起を筆記体収容溝から外方へ突出させて収容し、後軸内に該後軸と一体にまたは別部材で形成し後軸に連動して回転可能に設けた回転カムの傾斜面と平坦面を有するカム面に、摺動体のカム係止突起を当接し、後軸を前軸に対して回転することにより後軸に連動して回転カムが摺動ケースに対して回転し、カム係止突起がカム面に沿って移動することで摺動体および筆記体が前後動し、筆記先端部を前軸の先端開口部より出没してなる回転繰出式筆記具は、知られている。
【０００３】
こうした回転繰出式筆記具においては、操作性の観点から、筆記体の筆記先端部が前軸の先端開口部に没入した状態では、筆記先端部が先端開口部の近傍で待機しているので、鞄に収容したりあるいはポケット等に差した状態において、何かの拍子で前軸に対して後軸が僅かに回転し、筆記先端部が先端開口部から突出してしまい、筆記先端部に布地等が触れることでインキが筆記先端部より流出し、鞄やポケット等を汚してしまうという問題があった。また、先端開口部付近に、複数の筆記体の筆記先端部を待機可能とするためにスペースを確保する必要があり、先端開口部付近はどうしても軸筒の外径が太くなり、筆記時において筆記先端部が見えにくくなり筆記し難いという問題があった。
【０００４】
前記問題を解消するには、筆記体の筆記先端部が前軸の先端開口部に没入した際に、筆記先端部が先端開口部よりより長い距離で没入した位置で待機するようにすれば良いが、単に長くすれば良いというものでもない。当然に、筆記先端部の先端開口部からの没入距離が長ければ長いほど、カム係止突起が回転カムの傾斜面に沿って前後に移動させる距離も長くする必要があり、回転カムのカム面の形状等に制約が出てくる。例えば、収納状態での筆記体先端部の位置を軸筒内で後方に位置することができるとしてカムの展開形状におけるテーパー面をくびれた曲線とする技術が、特開２００１−１５０８７２号公報により開示されているが、カム面における筆記体が突出する側の傾斜角度が小さくなっていくと、弾撥部材の弾撥力も加わってカム筒を回転させるために後軸を回転させるトルクが大きくなり、回転がスムーズにできないという問題があり、カム斜面の傾斜角度等の仕様を変更すると回転操作時に悪影響がでてしまう。
【特許文献１】特開２００１−１５０８７２号公報
【特許文献２】特開２００１−７１６７９号公報
【発明の開示】
【発明が解決しようとする課題】
【０００５】
本発明は、軸筒を互いに回転可能に連設した前軸と後軸とで構成し、筆記体を収容する１つまたは複数の筆記体収容溝を有した摺動ケースを、後軸に連動して回転や前後に移動することのないように前軸に連接して配設し、筆記体収容溝に、カム係止突起を有した摺動体を装着した筆記体を、ばねにより前軸の先端開口部と反対側の後方に付勢し、カム係止突起を筆記体収容溝から外方へ突出させて収容し、後軸内に該後軸と一体にまたは別部材で形成し後軸に連動して回転可能に設けた回転カムの傾斜面と平坦面を有するカム面に、摺動体のカム係止突起を当接し、後軸を前軸に対して回転することにより後軸に連動して回転カムが摺動ケースに対して回転し、カム係止突起がカム面に沿って移動することで摺動体および筆記体が前後動し、筆記先端部を前軸の先端開口部より出没してなる回転繰出式筆記具において、筆記体の筆記先端部が前軸の先端開口部に没入した際に、部品を付加したり従来の構造を変更することなく、筆記先端部が先端開口部よりより長い距離で没入した位置で待機し、筆記体の筆記先端部を前軸の先端開口部より出没させる際の前軸に対する後軸の回転操作も軽やかにスムーズに行えるようにするものである。
【課題を解決するための手段】
【０００６】
本発明は、
「１．軸筒を互いに回転可能に連設した前軸と後軸とで構成し、筆記体を収容する１つまたは複数の筆記体収容溝を有した摺動ケースを、後軸に連動して回転や前後に移動することのないように前軸に連接して配設し、筆記体収容溝に、カム係止突起を有した摺動体を装着した筆記体を、ばねにより前軸の先端開口部と反対側の後方に付勢し、カム係止突起を筆記体収容溝から外方へ突出させて収容し、後軸内に該後軸と一体にまたは別部材で形成し後軸に連動して回転可能に設けた回転カムの傾斜面と平坦面を有するカム面に、摺動体のカム係止突起を当接し、後軸を前軸に対して回転することにより後軸に連動して回転カムが摺動ケースに対して回転し、カム係止突起がカム面に沿って移動することで摺動体および筆記体が前後動し、筆記先端部を前軸の先端開口部より出没してなる回転繰出式筆記具において、前記摺動体と摺動ケースの筆記体収容溝の軸心方向の縁辺とで形成される隙間を、全ての筆記体の筆記先端部が前軸の先端開口部より没入した待機時で、カム係止突起が前記カム面の傾斜面上に位置した摺動体の筆記体収容溝における軸心方向の位置より僅かに後方の位置：イから筆記体収容溝の前軸の先端開口部側の前方向の部分が、筆記先端部が前軸の先端開口部から没入した距離が最長時である、カム係止突起が前記カム面の平坦面に位置した摺動体の筆記体収容溝における軸心方向の位置より僅かに前軸の先端開口部側の前方の位置でかつ前記後方の位置：イより後方の位置：ロから筆記体収容溝の後方向の部分より、隙間を大きくして摺動体の周方向の横振れを可能としたことを特徴とする、回転繰出式筆記具。」
である。
【０００７】
従来、摺動体と摺動ケースの筆記体収容溝の軸心方向の縁辺とで形成される隙間において、カム係止突起の摺動性を妨げないように若干の隙間を有してるが、本発明は、その隙間より、全ての筆記体の筆記先端部が没入した待機時の位置で、カム係止突起が回転カムのカム面の傾斜面上に位置した摺動体の筆記体収容溝における軸心方向の位置での隙間を大きくするものである。ばねにより後方に付勢された筆記具に装着した摺動体も後方に付勢されているので、その大きくした隙間の分、カム面の傾斜面と筆記体収容溝の軸心方向の縁辺とで挟持されて後退できない位置まで後退可能となる。
【発明の効果】
【０００８】
本発明の回転繰出式筆記具は前記したような構造なので、筆記体の筆記先端部が前軸の先端開口部に没入した状態であれば、鞄に収容したりあるいはポケット等に差しても、従来のように前軸に対して後軸が僅かに回転しても筆記先端部が先端開口部から突出しにくくなり、従来よりは鞄やポケット等を汚す機会を軽減できる。また、複数の筆記体を収容した回転繰出式筆記具においては、筆記体の筆記先端部を、従来の回転繰出式筆記具よりは先端開口部からの位置がより後方で待機するので、先端開口部付近の軸筒の外径を、従来の回転繰出式筆記具よりは細くすることが可能となり、従来の回転繰出式筆記具よりは、筆記時における筆記先端部が見易くなる。
【発明を実施するための最良の形態】
【０００９】
従来の回転繰出式筆記具における摺動体と摺動ケースの筆記体収容溝の軸心方向の縁辺とで形成される隙間はほとんど無く、筆記体収容溝の幅は軸心方向の全域において一定幅であったものに対し、本発明は、筆記体収容溝の幅を軸心方向において変化させ、全ての筆記体の筆記先端部が没入した待機時の位置におけるカム係止突起が回転カムのカム面の傾斜面上に位置した摺動体の筆記体収容溝における軸心方向の位置における幅を広くして隙間を大きくするものである。
【実施例】
【００１０】
本発明の実施例を図面を用いて説明する。
本実施では、シャープペンシルユニットの筆記体とボールペンレフィルの筆記体を軸筒内に収容した回転繰出式の複合筆記具として説明するが、これに限定されるものではなく、１本のボールペンレフィルの筆記体を軸筒内に収容した回転繰出式筆記具であってもよいし、複数本のシャープペンシルユニットの筆記体を収容した回転繰出式筆記具であってもよい。
【００１１】
図１〜図８は、本発明の第１の実施例で、樹脂製の軸筒内にシャープペンシルユニットの筆記体とボールペンレフィルの筆記体を１本づつ収容した複合筆記具の実施例である。第１の実施例の回転繰出式の複合筆記具１は、図１に示すように、従来の回転繰出式の複合筆記具と同様に、軸筒２は前筒３ａと後筒３ｂで構成された前軸３と後軸４とで構成されており、前筒３ａと後筒３ｂとは、前筒３ａに固着した継手金輪５を介して着脱自在に設けてある。
【００１２】
従来の回転繰出式の複合筆記具と同様に、後軸４の内壁面には、軸心方向に延びた傾斜面６と平坦面７とで構成されたカム面８（図７を参照）を有する回転カム９を後軸４の内壁面に一体に形成して設けてあり、図３に示すような、周方向において対向した２カ所に筆記体収容溝１０（図面上では１つ）を設けた収容部１１と該収容部１１の外径より小径な頭端部１２とで構成した摺動ケース１３を、前軸３の後筒３ｂと一体に形成して設けてあり、後軸５に連動して回転や前後に移動することのないようにしてある。
【００１３】
また、図１に示すように、摺動ケース１３の一方の筆記体収容溝１０ａにはシャープペンシルユニットの筆記体１４ａを、他方の筆記体収容溝１０ｂにはボールペンレフィルの筆記体１４ｂを、コイルスプリング１５を介して後方（図１において右側方向）に付勢して収容してある。各々の筆記体１４ａ、１４ｂの後端部には摺動体１６を装着してあり、各々の摺動体１６ａ、１６ｂにはカム係止突起１７ａ、１７ｂを設けてある。各々のカム係止突起１７ａ、１７ｂは、回転カム９のカム面８に後方への押圧状態で当接させてある。
【００１４】
符号１８は消しゴムであり、図５において符号１９はクリップである。これらは、従来における回転繰出式筆記具と同様にして後軸４の後端部分に装着してある。
【００１５】
従来の回転繰出式筆記具との相違点は、摺動ケース１２における筆記体収容溝１０の軸心方向における幅の変化にある。ところで、各々の筆記体１４ａ、１４ｂの後端部に装着した各々の摺動体１６ａ、１６ｂの各々のカム係止突起１７ａ、１７ｂは、回転カム９のカム面８に当接している。各々の筆記体１４ａ、１４ｂの筆記先端部２０ａ、２０ｂが前軸３の前筒３ａの先端開口部２１より没入しているときは、回転カムのカム面の展開図を示した図７に示すように、各々のカム係止突起１７ａ、１７ｂは、回転カム９のカム面８の傾斜面６上に位置している。例えば、図５に示すように、筆記体１４ａの筆記先端部２０ａが前軸３の前筒３ａの先端開口部２１より突出した際には、点線で示したように、カム係止突起１７ａは傾斜面６の頂部に形成した係合部２２に係合し、他方の筆記体１４ｂのカム係止突起１７ｂは平坦面７上に位置する。図示していないが、カム係止突起１７ｂ（摺動体１６ｂ）が連接した筆記体１４ｂの筆記先端部２０ｂは、先端開口部２１からの没入距離が最長となる。
【００１６】
摺動体１６の筆記体収容溝１０の軸心方向における位置に関し、図３に示すようなカム係止突起１７がカム面８の傾斜面６上の位置の時の摺動体１６の筆記体収容溝１０における位置より僅かに後方（図３において右側）の位置：イから筆記体収容溝１０の前方端までの範囲：Ｄにおける部分の筆記体収容溝１０の幅：Ｇ（図４の（ａ）を参照）と、カム係止突起１７がカム面８の平坦面７に位置する時の摺動体１６の筆記体収容溝１０における位置より僅かに前方（図３において左側）の位置でかつ前記後方の位置：イより後方の位置：ロから、筆記体収容溝１０の後端までの範囲：Ｆにおける部分の筆記体収容溝１０の幅：Ｈ（図４の（ｂ）を参照）とにおいて、Ｇ＞Ｈとなるように形成してある。範囲：Ｄと範囲Ｆとの間には、カム係止突起１７がスムーズに傾斜面６に沿って前後動するように、幅：Ｈから幅：Ｇに漸次大きくなるよう筆記体収容溝１０の縁辺２３を傾斜状とした範囲：Ｅの部分を設けてある。
【００１７】
したがって、各々の筆記体１４ａ、１４ｂの筆記先端部２０ａ、２０ｂが前軸３の前筒３ａの先端開口部２１より没入しているときは、摺動体１６ａと摺動体１６ｂは、図３において、筆記体収容溝１０の範囲：Ｄの部分に位置し、図２に示すように各々の摺動体１６ａ、１６ｂと各々の筆記体収容溝１０ａ、１０ｂの軸心方向の縁辺２３との間に隙間２４が形成されるので、カム面８の傾斜面６に押されて周方向に傾き、図７に示すように、縁辺２３と傾斜面６とで挟持されるまで各々の摺動体１６ａ、１６ｂ（カム係止突起１７ａ、１７ｂ）は後退する。
【００１８】
図５に示すように、例えば筆記体１４ａの筆記先端部２０ａが前軸３の前筒３ａの先端開口部２１より突出した場合には、図７において点線で示したように、カム係止突起１７ａは回転カム９の傾斜面６の頂部に形成した係合部２２に係合し、摺動体１６ａ（カム係止突起１７ａ）は筆記体収容溝１０ａの軸心方向の位置において範囲：Ｄに位置するので（図３を参照）、図６の（ａ）に示すように摺動体１６ａと筆記体収容溝１０ａの軸心方向の縁辺２３との間に隙間２４が形成されるが、カム係止突起１７ａは傾斜面６の係合部２２に係合しているので、当然に後退することはない。他方の筆記体１４ｂのカム係止突起１７ｂは、筆記先端部２０ｂが前軸３の前筒３ａの先端開口部２１からの没入距離が最長となり、図７に示すようにカム面８の平坦面７上に位置し、摺動体１６ｂ（カム係止突起１７ａ）は、図３において、筆記体収容溝１０の範囲：Ｆの部分に位置するので、図６の（ｂ）に示すように摺動体１６ｂ（カム係止突起１７ａ）と筆記体収容溝１０ｂの軸心方向の縁辺２３との間にほとんど隙間はない。
【００１９】
図８〜図１４は、本発明の第２の実施例で、金属製の軸筒内にシャープペンシルユニットの筆記体１本とボールペンレフィルの筆記体２本を収容した複合筆記具の実施例である。ただ、便宜上、軸筒内にシャープペンシルユニットの筆記体とボールペンレフィルの筆記体を収容した状態を現わした図８および図１２においては、シャープペンシルユニットの筆記体とボールペンレフィルの筆記体1本のみを現わし、もう1本のボールペンレフィルの筆記体は省略してある。
【００２０】
第２の実施例の回転繰出式の複合筆記具３１は、軸筒３２が金属製の前軸３３と後軸３４とで構成されている。軸筒３２内に、筆記体を収容保持するための樹脂製の摺動ケース３５を、前記第１の実施例の複合筆記具１と異なり前軸３３と別体に設けてある。摺動ケース３５の前方（図８において左側方向）の前筒部３５ａには、連結筒３６が被覆して固着してある。連結筒３６は前軸３３が着脱自在に嵌着可能に設けてあり、連結筒３６を介して、前軸３３と摺動ケース３５は連接している。連結筒３６には前軸３３が必要以上に後方（図８において右側方向）に嵌着しないように外方に突出したリング状の止め部３７を設けてある。
【００２１】
後軸３４の内壁面には、軸心方向に延びた傾斜面３８と平坦面３９とで構成されたカム面４０（図１４を参照）を有した回転カム筒４１を固着して設けてある。
【００２２】
図１０に示すように、前記した摺動ケース３５は、図面上では一つの筆記体収容溝４２しか記載していないが、周方向に等間隔に３つの筆記体収容溝４２を設けた収容部４３と該収容部４３の外径より小径な頭部４４とで構成してある。摺動ケース３５は、前記したように前軸３３には連接しているが後軸３４に対しては連接しておらず、後軸３４に連動して回転や前後に移動することはない。
【００２３】
各々の筆記体収容溝４２には、第１の実施例におけるシャープペンシルユニットの筆記体と同じ筆記体１４ａを１つと、２つのボールペンレフィルの筆記体１４ｂを、コイルスプリング１５を介して後方に付勢して収容してある。各々の筆記体１４ａ、１４ｂの後端部には摺動体１６を連接して設けてあり、各々の摺動体１６に設けたカム係止突起１７を回転カム筒４１のカム面４０に当接して収容してある（図８を参照）。
【００２４】
符号４５は消しゴムであり、図１２において符号４６はクリップである。これらは、従来における回転繰出式筆記具と同様にして後軸３４の後端部分に装着してある。
【００２５】
従来の回転繰出式筆記具との相違点は、第１の実施例と同様に、摺動ケース３５における筆記体収容溝４２の軸心方向における幅の変化にある。軸筒３２内に収容した全ての筆記体１４の筆記先端部２０が前軸３３の先端開口部４７より没入しているときは、回転カムのカム面の展開図を示した図１４に示すように、例えば各々のカム係止突起１７ａ、１７ｂは、回転カム筒４１のカム面４０の傾斜面３８上に位置しており、カム係止突起１７ｃは、筆記体１４ｃの筆記先端部２０ｃが先端開口部４７からの没入距離が最長となるカム面４０の平坦面３９上に位置している。筆記体１４ａの筆記先端部２０ａが前軸３３の先端開口部４７より突出した際には、点線で示したように、カム係止突起１７ａは傾斜面３８の頂部に形成した係合部４８に係合し、他方の筆記体１４ｂのカム係止突起１７ｂは平坦面３９上の傾斜面の基部３８ａに後退する。他方の筆記体１４ｃのカム係止突起１７ｃは平坦面３９上の反対側の傾斜面３８の基部３８ｂに位置する。
【００２６】
摺動体１６の筆記体収容溝４２の軸心方向における位置に関し、図１０に示すようなカム係止突起１７が傾斜面３８上の位置の時の摺動体１６の筆記体収容溝４２における位置より僅かに後方（図１０において右側）の位置：イから筆記体収容溝４２の前方端までの範囲：Ｍにおける部分の筆記体収容溝４２の幅：Ｒ（図１１の（ａ）を参照）と、カム係止突起１７がカム面４０の平坦面３９に位置する時の摺動体１６の筆記体収容溝４２における位置より僅かに前方（図１０において左側）の位置でかつ前記後方の位置：イより後方の位置：ロから、筆記体収容溝４２の後端までの範囲：Ｐにおける部分の筆記体収容溝４２の幅：Ｓ（図１１の（ｂ）を参照）とにおいて、Ｒ＞Ｓとなるように形成してある。範囲：Ｍと範囲Ｐとの間には、カム係止突起１７がスムーズに傾斜面３８に沿って前後動するように、幅：Ｓから幅：Ｒに漸次大きくなるよう筆記体収容溝４２の縁辺４９が傾斜状とした範囲：Ｑの部分を設けてある。
【００２７】
したがって、全ての筆記体１４の筆記先端部２０が前軸３３の先端開口部４７より没入しているときは、図１４に示すように、各々のカム係止突起１７ａ、１７ｂは、回転カム筒４１のカム面４０の傾斜面３８上に位置し、摺動体１６ａと摺動体１６ｂは、図１０において、筆記体収容溝４２の範囲：Ｍの部分に位置し、図９に示すように各々の摺動体１６ａ、１６ｂと各々の筆記体収容溝４２ａ、４２ｂの軸心方向の縁辺４９との間に隙間５０が形成されるので、カム面４０の傾斜面３８に押されて周方向に傾き、図１４に示すように、縁辺４９と傾斜面３８とで挟持されるまで各々の摺動体１６ａ、１６ｂ（カム係止突起１７ａ、１７ｂ）は後退する。カム係止突起１７ｃはカム面４０の平坦面３９上の傾斜面３８の基部３８ｂより離間した位置におり、いるが、摺動体１６ｃは、図１０において、筆記体収容溝４２の範囲：Ｐの部分に位置する。
【００２８】
図１２に示すように、例えば筆記体１４ａの筆記先端部２０ａが前軸３３の先端開口部４７より突出した場合には、図１４において点線で示したように、カム係止突起１７ａは回転カム筒４１の傾斜面３８の頂部に形成した係合部４８に係合し、摺動体１６ａ（カム係止突起１７ａ）は筆記体収容溝４２ａの軸心方向の位置において範囲：Ｍに位置するので（図１０を参照）、図１３の（ａ）に示すように摺動体１６ａと筆記体収容溝４２ａの軸心方向の縁辺４９との間に隙間５０形成されるが、カム係止突起１７ａは傾斜面３８の係合部４８に係合しているので、後退することはない。他方の筆記体１４ｂのカム係止突起１７ｂは、筆記先端部２０ｂが前軸３３の前筒３３ａの先端開口部４７からの没入距離が最長となり、図１４に示すようにカム面４０の傾斜面３８の基部３８ａに位置し、他の筆記体１４ｃのカム係止突起１７ｃは、カム面４０の反対側の傾斜面の基部３８ｂに位置し、筆記体収容溝４３の軸心方向の位置において範囲：Ｐに位置するので（図１０を参照）、図１３の（ｂ）に示すように摺動体１６ｂ、１６ｃ（カム係止突起１７ｂ、１７ｃ）と筆記体収容溝４２の軸心方向の縁辺４９との間にほとんど隙間はない。
【産業上の利用可能性】
【００２９】
回転繰出式筆記具において、軸筒に収容した筆記体の筆記先端部を出没させる軸筒の先端開口部付近における軸筒の外径を、従来の回転繰出式筆記具よりより細くしたい場合に利用可能である。
【図面の簡単な説明】
【００３０】
【図１】本発明の第１の実施例を示す回転繰出式筆記具の要部を断面した側面図である。
【図２】図１におけるＡ−Ａ線部分のクリップ部分を省略した拡大端面図である。
【図３】図１おける摺動ケースの後方部分の要部の拡大側面図である。
【図４】（ａ）図３におけるＢ−Ｂ線部分の拡大端面図である。（ｂ）図３におけるＣ−Ｃ線部分の拡大端面図である。
【図５】図１において、後軸を前軸に対して回転してシャープペンシルユニットの筆記体の筆記先端部を前軸の先端開口部より突出した状態を示す、回転繰出式筆記具の要部を断面した側面図である。
【図６】（ａ）図５におけるＩ−Ｉ線部分の拡大端面図である。（ｂ）図５におけるＪ−Ｊ線部分の拡大端面図である。
【図７】図１における回転カムのカム面を展開した拡大展開図で、カム係止突起のカム面における位置関係を示す図である。
【図８】本発明の第２の実施例を示す回転繰出式筆記具の要部を断面した側面図である。
【図９】図８におけるＫ−Ｋ線部分のクリップ部分を省略した拡大端面図である。
【図１０】図８おける摺動ケースの上側の拡大側面図である。
【図１１】（ａ）図１０におけるＬ−Ｌ線部分の拡大端面図である。（ｂ）図１０におけるはＮ−Ｎ線部分の拡大端面図である。
【図１２】図８において、後軸を前軸に対して回転してシャープペンシルユニットの筆記体の筆記先端部を前軸の先端開口部より突出した状態を示す、回転繰出式筆記具の要部を断面した側面図である。
【図１３】（ａ）図１２におけるＴ−Ｔ線部分の拡大端面図である。（ｂ）図１２におけるＵ−Ｕ線部分の拡大端面図である。
【図１４】図８における回転カムのカム面を展開した拡大展開図で、カム係止突起のカム面における位置関係を示す図である。
【符号の説明】
【００３１】
１、３１  複合筆記具
２、３２  軸筒
３、３３  前軸
４、３４  後軸
６、３８  傾斜面
７、３９  平坦面
８、４０  カム面
９  回転カム
１０、４２  筆記体収容溝
１２、３５  摺動ケース
１４  筆記体
１５  コイルスプリング
１６  摺動体
１７  カム係止突起
２０  筆記先端部
２１、４７  先端開口部
２３、４９  縁辺
２４、５０  隙間
４１  回転カム筒
【図１】
2010064405.tif 000003
【図２】
2010064405.tif 000004
【図３】
2010064405.tif 000005
【図４】
2010064405.tif 000006
【図５】
2010064405.tif 000007
【図６】
2010064405.tif 000008
【図７】
2010064405.tif 000009
【図８】
2010064405.tif 000010
【図９】
2010064405.tif 000011
【図１０】
2010064405.tif 000012
【図１１】
2010064405.tif 000013
【図１２】
2010064405.tif 000014
【図１３】
2010064405.tif 000015
【図１４】
2010064405.tif 000016